(57)【要約】      （修正有）【課題】通信ネットワーク内の輻輳管理の技法が提供される。【解決手段】無線送受信ユニット（ＷＴＲＵ）は、無線リソース制御（ＲＲＣ）レイヤおよび非アクセス層（ＮＡＳ）レイヤを含む。ＲＲＣレイヤは、サービスに対する表示をＮＡＳから受信する。その表示は、示された特定のサービスに対する要求として解釈される。示されたサービスは、モバイル発信される（ＭＯ）ボイス通信、回線交換フォールバック（ＣＳＦＢ）付加サービス（ＳＳ）またはＭＯショートメッセージサービス（ＳＭＳ）の少なくとも１つに相当し、ＲＲＣレイヤは、ネットワークによって提供される１または複数のサービスが可能となりうることを示すシグナルをネットワークから受信する。ＲＲＣレイヤは、そのサービスが可能な１または複数のサービスの１つである場合、ＮＡＳによって求められたサービスについての接続要求をネットワークに送信する。【選択図】図３
2019024237.tif 000002
【特許請求の範囲】
【請求項１】
無線送受信ユニット（ＷＴＲＵ）によって実行される方法であって、前記ＷＴＲＵは通信ネットワークと通信しており、前記方法は、
前記ＷＴＲＵの無線リソース制御（ＲＲＣ）レイヤにて、前記ＷＴＲＵがセルにおけるアクセスクラス規制（ＡＣＢ）制限を受けることを示すメッセージを基地局から受信することであって、前記メッセージは、前記ＡＣＢ制限にもかかわらず前記セルにおいて肯定的に許容可能である１または複数のサービスをさらに示す、ことと、
前記ＷＴＲＵの非アクセス層（ＮＡＳ）レイヤにて、第１のサービスについての要求を生成することと、
前記要求を前記ＷＴＲＵの前記ＮＡＳレイヤから前記ＷＴＲＵの前記ＲＲＣレイヤに渡すことと、
前記ＷＴＲＵのＲＲＣレイヤにて、前記第１のサービスが前記ＡＣＢ制限にもかかわらず前記セルにおいて肯定的に許容可能であると示されている１または複数のサービスの１つであることを判定することと、
前記ＲＲＣレイヤによって、第１の接続要求を前記基地局に送信することであって、前記第１の接続要求は、前記第１の接続要求が前記第１のサービスのためのものであることを明確に示す、ことと
を備える方法。
【請求項２】
前記第１のサービスは、モバイル発信される（ＭＯ）ボイス通信、回線交換フォールバック（ＣＳＦＢ）付加サービス（ＳＳ）またはＭＯショートメッセージサービス（ＳＭＳ）の少なくとも１つを備える、請求項１の方法。
【請求項３】
前記メッセージは、システム情報ブロック（ＳＩＢ）を含む、請求項１の方法。
【請求項４】
前記ＳＩＢは、前記１または複数のサービスを前記セルにおいて肯定的に許容可能であると示すための１または複数のビット位置を含むビットマップを備える、請求項３の方法。
【請求項５】
前記第１のサービスが肯定的に許容可能な前記１または複数のサービスの１つであることを判定することは、前記１または複数のビット位置の値に基づく、請求項４の方法。
【請求項６】
第２のメッセージは、前記通信ネットワークから受信され、
前記ＷＴＲＵの前記ＮＡＳレイヤにて、第２のサービスについての要求を生成することと、
前記ＷＴＲＵのＲＲＣレイヤにて、前記第２のサービスが前記セルにおいて肯定的に許容可能である前記１または複数のサービスの１つではないことを判定することと、
前記第２のサービスについての第２の接続要求を前記基地局に送信することをやめることと
をさらに備える、請求項１の方法。
【請求項７】
前記基地局は、進化型ノードＢ（ｅＮＢ）を含む、請求項１の方法。
【請求項８】
無線送受信ユニット（ＷＴＲＵ）であって、
無線リソース制御（ＲＲＣ）レイヤにて、前記ＷＴＲＵがセルにおけるアクセスクラス規制（ＡＣＢ）制限を受けることを示すメッセージを基地局から受信し、前記メッセージは、前記ＡＣＢ制限にもかかわらず前記セルにおいて肯定的に許容可能である１または複数のサービスをさらに示し、
非アクセス層（ＮＡＳ）レイヤにて、第１のサービスについての要求を生成し、
前記ＲＲＣレイヤにて、前記第１のサービスが前記ＡＣＢ制限にもかかわらず前記セルにおいて肯定的に許容可能であると示されている１または複数のサービスの１つであることを判定し、
前記ＲＲＣレイヤによって、第１の接続要求を前記基地局に送信し、前記第１の接続要求は、前記第１の接続要求が前記第１のサービスのためのものであることを明確に示す
ように構成されるプロセッサを備えたＷＴＲＵ。
【請求項９】
前記第１のサービスは、モバイル発信される（ＭＯ）ボイス通信、回線交換フォールバック（ＣＳＦＢ）付加サービス（ＳＳ）またはＭＯショートメッセージサービス（ＳＭＳ）の少なくとも１つを備える、請求項８のＷＴＲＵ。
【請求項１０】
前記メッセージは、前記１または複数のサービスを前記セルにおいて肯定的に許容可能であると示すための１または複数のビット位置を含むシステム情報ブロック（ＳＩＢ）を備える、請求項８のＷＴＲＵ。
【請求項１１】
前記プロセッサは、前記１または複数のビット位置の値に基づいて、前記第１のサービスが肯定的に許容可能である前記１または複数のサービスの１つであることを判定するようにさらに構成される、請求項１０のＷＴＲＵ。
【発明の詳細な説明】
【技術分野】
【０００１】
本発明は、無線通信に関する。
【０００２】
関連出願の相互参照
本出願は、あらゆる目的のためにその全体が本明細書に完全に記載されるように、参照により組み込まれている、「SYSTEM AND METHODS FOR HANDLING PRIORITY SERVICES CONGESTION」と表題を付けられ、2013年10月30日に出願された、米国特許仮出願第61/897,810号明細書の利益を主張する。
【背景技術】
【０００３】
３ＧＰＰに基づくネットワークは、数ある通信ネットワークの中でも、サービスおよび／または手順に関連付けられる通信トラフィックに対応する輻輳を含めて輻輳に遭遇し得る。多数のネットワークデバイス（例えば、さらに高密度なネットワークで動作させられるセルラースマートフォン）、およびそれらが生成する対応するネットワークトラフィックもまた、通信ネットワーク輻輳の一因となり得る。例えば、ビデオストリーミング、スモールデータ送信、ボイス送信、および／またはマルチメディア送信、および／または類するもの、並びに、そのような送信をサポートするネットワークサービスは全て、ネットワーク輻輳の一因となり得る。重要な送信（例えば、緊急時送信）は、輻輳しているネットワーク内の送信リソースおよび／またはサービスに対する厳しい競合相手であり得るものにより、悪影響を及ぼされる場合がある。
【発明の概要】
【０００４】
本概要は、下記で詳細な説明においてさらに説明される、単純化された形式での概念の選択を紹介するために提供される。本概要は、主張される主題の主要な特徴および／または本質的な特徴を識別することは意図されず、それは、主張される主題の範囲を制限するために使用されることもまた意図されない。
【０００５】
システム、方法および手段が、ネットワーク内の輻輳管理を説明するために提供される。無線送受信ユニット（ＷＴＲＵ）は、一意的な確立原因、または一意的なサービス表示をセットして、サービスを区別し得る。サービスは、モバイル発信される（ＭＯ：mobile originated）ボイス通信、ＭＯ回線交換フォールバック（ＣＳＦＢ：circuit switched fallback）ボイス、ＣＳＦＢ付加サービス（ＳＳ：supplementary service）またはＭＯショートメッセージサービス（ＳＭＳ）の１つであり得る。ＷＴＲＵは、サービスの接続に対する要求を備えるサービス要求メッセージを基地局に送信し得る。ＷＴＲＵは、応答メッセージを、サービス要求への応答で受信し得る。応答メッセージは、サービスの接続に対する要求の承諾または拒絶を示す。
【０００６】
実施形態は、通信ネットワークと通信状態にあり得る、および／または、無線リソース制御（ＲＲＣ）レイヤを含み得る、無線送受信ユニット（ＷＴＲＵ）のための１または複数の技法を企図する。ＲＲＣレイヤは第１のメッセージを受信し得るものであり、第１のメッセージは、サービスに対する表示を含み得る。ＲＲＣレイヤは第２のメッセージを受信し得るものであり、第２のメッセージは、通信ネットワークにより可能となり得る１または複数のサービスを示し得る。サービスは、通信ネットワークにより可能となり得る１または複数のサービスの１つであると決定され得る。ＲＲＣレイヤは、サービスが通信ネットワークにより可能となり得る１または複数のサービスの１つであることを基に、サービスに対する接続要求を送信し得る。
【０００７】
実施形態は、通信ネットワークと通信状態にあり得る、および／または、無線リソース制御（ＲＲＣ）レイヤを含み得る、無線送受信ユニット（ＷＴＲＵ）のための１または複数の技法を企図する。ＲＲＣレイヤは第１のメッセージを受信し得るものであり、第１のメッセージは、サービスに対する表示を含み得る。ＲＲＣレイヤは第２のメッセージを受信し得るものであり、第２のメッセージは、通信ネットワークにより可能となり得る１または複数のサービスを示し得る。サービスは、通信ネットワークにより可能となり得る１または複数のサービスの１つでないと決定され得る。ＲＲＣレイヤは、サービスが通信ネットワークにより可能となり得る１または複数のサービスの１つでないことを基に、サービスに対する接続要求を送信することを抑制し得る。
【図面の簡単な説明】
【０００８】
例の実施形態の、後続の詳細な説明が、添付図面に対する参照とともに提供される。例示の目的で、図面は例の実施形態を示す。企図される主題は、説明または例示される、特定の要素および／または手段に制限されない。そして、反対のことに対する特定の注記がない場合は、いかなる主題も、必要および／または本質的とは企図されない。追加で、説明される実施形態は、任意の組み合わせで、全体的に、または部分的に用いられ得る。
【図１Ａ】１または複数の開示される実施形態が実施され得る、例示の通信システムのシステム図である。
【図１Ｂ】図１Ａに示される通信システム内で使用され得る、例示の無線送受信ユニット（ＷＴＲＵ）のシステム図である。
【図１Ｃ】図１Ａに示される通信システム内で使用され得る、例示の無線アクセスネットワークおよび例示のコアネットワークのシステム図である。
【図１Ｄ】図１Ａに示される通信システム内で使用され得る、他の例示の無線アクセスネットワークおよび例示のコアネットワークのシステム図である。
【図１Ｅ】図１Ａに示される通信システム内で使用され得る、他の例示の無線アクセスネットワークおよび例示のコアネットワークのシステム図である。
【図２】実施形態に一致する、サービス優先度設定／規制技法の一例の図である。
【図３】実施形態に一致する、サービス優先度設定／規制技法の一例の図である。
【発明を実施するための形態】
【０００９】
例示の実施形態の詳細な説明が、様々な図に対する参照とともに説明される。この説明は、可能な実現形態の詳細な例を提供するが、詳細は、例であり、いかなる方途でも本出願の範囲を制限しないことが意図されるということが留意されるべきである。本明細書で使用される際に、冠詞「ａ」または「ａｎ」は、さらなる条件または特徴付けがない場合は、例えば「１または複数の」または「少なくとも１つの」を意味すると理解され得る。さらには本明細書で使用される際に、ユーザ機器（ＵＥ）という用語は、無線送受信ユニット（ＷＴＲＵ）という用語と同じものを意味すると理解され得る。
【００１０】
図１Ａは、１または複数の開示される実施形態が実施されうる例示的な通信システム１００の図である。通信システム１００は、音声、データ、ビデオ、メッセージング、放送などのコンテンツを複数の無線ユーザに提供する多元接続システムであってよい。通信システム１００は、複数の無線ユーザが、無線帯域幅を含むシステムリソースの共用を通して、そのようなコンテンツにアクセスすることを可能にする。例えば、通信システム１００は、ＣＤＭＡ、ＴＤＭＡ、ＦＤＭＡ、直交ＦＤＭＡ（ＯＦＤＭＡ）およびシングルキャリアＦＤＭＡ（ＳＣ−ＦＤＭＡ）など、１または複数のチャネルアクセス方式を利用することができる。
【００１１】
図１Ａに示されるように、通信システム１００は、無線送受信ユニット（ＷＴＲＵ）１０２ａ、１０２ｂ、１０２ｃおよび／または１０２ｄ（一般的に、あるいは集合的にＷＴＲＵ１０２と呼ばれうる）、無線アクセスネットワーク（ＲＡＮ）１０３／１０４／１０５、コアネットワーク１０６／１０７／１０９、公衆交換電話網（ＰＳＴＮ）１０８、インターネット１１０および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとすることができる。例えば、ＷＴＲＵ１０２ａ、１０２ｂ、１０２ｃ、１０２ｄは、無線信号を送信および／または受信するように構成されることができ、ユーザ機器（ＵＥ）、移動局、固定若しくは移動加入者ユニット、ページャ、セルラー電話、携帯情報端末（ＰＤＡ）、スマートフォン、ラップトップ、ネットブック、パーソナルコンピュータ、無線センサおよび家電製品などを含むことができる。
【００１２】
通信システム１００は、基地局１１４ａおよび基地局１１４ｂも含むことができる。基地局１１４ａ、１１４ｂの各々は、コアネットワーク１０６／１０７／１０９、インターネット１１０および／またはネットワーク１１２などの１または複数の通信ネットワークへのアクセスを円滑化するために、ＷＴＲＵ１０２ａ、１０２ｂ、１０２ｃ、１０２ｄの少なくとも１つとワイヤレスでインターフェースを取るように構成された、任意のタイプのデバイスとすることができる。例えば、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１３】
基地局１１４ａは、ＲＡＮ１０３／１０４／１０５の部分とすることができ、ＲＡＮ１０３／１０４／１０５は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれうる特定の地理的領域内で、無線信号を送信および／または受信するように構成されうる。セルは、さらにセルセクタに分割することができる。例えば、基地局１１４ａに関連付けられたセルは、３つのセクタに分割することができる。従って、一実施形態では、基地局１１４ａは、送受信機を３つ、すなわち、セルのセクタ毎に１つずつ含むことができる。別の実施形態では、基地局１１４ａは、ＭＩＭＯ技術を利用することができ、従って、セルのセクタ毎に複数の送受信機を利用することができる。
【００１４】
基地局１１４ａ、１１４ｂは、エアインターフェース１１５／１１６／１１７を介して、ＷＴＲＵ１０２ａ、１０２ｂ、１０２ｃ、１０２ｄの１または複数と通信することができ、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立することができる。
【００１５】
より具体的には、上述したように、通信システム１００は、多元接続システムとすることができ、ＣＤＭＡ、ＴＤＭＡ、ＦＤＭＡ、ＯＦＤＭＡおよびＳＣ−ＦＤＭＡなどの、１または複数のチャネルアクセス方式を利用できる。例えば、ＲＡＮ１０３／１０４／１０５内の基地局１１４ａ並びにＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立しうるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１６】
別の実施形態では、基地局１１４ａ、並びにＷＴＲＵ１０２ａ、１０２ｂ、１０２ｃは、ＬＴＥ（Long Term Evolution）および／またはＬＴＥアドバンスト（ＬＴＥ−Ａ）を使用してエアインターフェース１１５／１１６／１１７を確立しうる進化型ＵＭＴＳ地上無線アクセス（Ｅ−ＵＴＲＡ）などの無線技術を実施することができる。
【００１７】
他の実施形態では、基地局１１４ａ、並びにＷＴＲＵ１０２ａ、１０２ｂ、１０２ｃは、ＩＥＥＥ８０２．１６（すなわち、ＷｉＭＡＸ）、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、およびＧＳＭ  ＥＤＧＥ（ＧＥＲＡＮ）などの無線技術を実施することができる。
【００１８】
図１Ａの基地局１１４ｂは、例えば、無線ルータ、ホームノードＢ、ホームｅノードＢまたはアクセスポイントとすることができ、職場、家庭、乗物およびキャンパスなどの局所的エリアにおける無線接続性を円滑化するために、任意の適切なＲＡＴを利用することができる。一実施形態では、基地局１１４ｂおよびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することができる。従って、基地局１１４ｂは、コアネットワーク１０６／１０７／１０９を介して、インターネット１１０にアクセスする必要がないことがある。
【００１９】
ＲＡＮ１０３／１０４／１０５は、コアネットワーク１０６／１０７／１０９と通信することができ、コアネットワーク１０６／１０７／１０９は、音声、データ、アプリケーションおよび／またはＶｏＩＰ（Voice over IP）サービスをＷＴＲＵ１０２ａ、１０２ｂ、１０２ｃ、１０２ｄの１または複数に提供するように構成された、任意のタイプのネットワークとすることができる。例えば、コアネットワーク１０６／１０７／１０９は、呼制御、課金サービス、モバイル位置情報サービス、プリペイド通話、インターネット接続性、ビデオ配信などを提供することができ、および／またはユーザ認証など、高レベルのセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを利用する他のＲＡＮと直接的または間接的に通信できることが理解されよう。例えば、Ｅ−ＵＴＲＡ無線技術を利用することができるＲＡＮ１０３／１０４／１０５に接続されるのに加えて、コアネットワーク１０６／１０７／１０９は、ＧＳＭ無線技術を利用する別のＲＡＮ（図示されず）とも通信することができる。
【００２０】
コアネットワーク１０６／１０７／１０９は、ＰＳＴＮ１０８、インターネット１１０および／または他のネットワーク１１２にアクセスするための、ＷＴＲＵ１０２ａ、１０２ｂ、１０２ｃ、１０２ｄのためのゲートウェイとしてもサービスすることができる。ＰＳＴＮ１０８は、ＰＯＴＳ（plain old telephone service）を提供する回線交換電話網を含むことができる。インターネット１１０は、ＴＣＰ／ＩＰインターネットプロトコルスイート内のＴＣＰ、ＵＤＰおよびＩＰなど、共通の通信プロトコルを使用する、相互接続されたコンピュータネットワークとデバイスとからなるグローバルシステムを含みうる。ネットワーク１１２は、他のサービスプロバイダによって所有および／または運営される有線または無線通信ネットワークを含むことができる。例えば、ネットワーク１１２は、ＲＡＮ１０３／１０４／１０５と同じＲＡＴまたは異なるＲＡＴを利用することができる１または複数のＲＡＮに接続された、別のコアネットワークを含むことができる。
【００２１】
通信システム１００内のＷＴＲＵ１０２ａ、１０２ｂ、１０２ｃ、１０２ｄのいくつかまたは全ては、マルチモード機能を含むことができ、すなわち、ＷＴＲＵ１０２ａ、１０２ｂ、１０２ｃ、１０２ｄは、異なる無線リンクを介して異なる無線ネットワークと通信するための複数の送受信機を含むことができる。例えば、図１Ａに示されたＷＴＲＵ１０２ｃは、セルラベースの無線技術を利用可能な基地局１１４ａと通信するように、またＩＥＥＥ８０２無線技術を利用可能な基地局１１４ｂと通信するように構成されうる。
【００２２】
図１Ｂは、例示的なＷＴＲＵ１０２のシステム図である。図１Ｂに示されるように、ＷＴＲＵ１０２は、プロセッサ１１８、送受信機１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６および他の周辺機器１３８を含むことができる。ＷＴＲＵ１０２は、一実施形態との整合性を保ちながら、上記の要素の任意のサブコンビネーションを含むことができることが理解されよう。また、実施形態は、基地局１１４ａ、１１４ｂ、および／または、限定される訳ではないが、基地局（ＢＴＳ）、Ｎｏｄｅ−Ｂ、サイトコントローラ、アクセスポイント（ＡＰ）、ホームノードＢ、発展型ホームノードＢ（ｅＮｏｄｅＢ）、ホームｅｖｏｌｖｅｄノードＢ（ＨｅＮＢ）、ホームｅｖｏｌｖｅｄノードＢゲートウェイ、プロキシノード等の、基地局１１４ａ、１１４ｂが表し得るノードが、図１Ｂに図示され本明細書で説明される要素の一部または全てを含み得ることを企図している。
【００２３】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１または複数のマイクロプロセッサ、コントローラ、マイクロコントローラ、ＡＳＩＣ、ＦＰＧＡ回路、他の任意のタイプの集積回路（ＩＣ）および状態機械などとすることができる。プロセッサ１１８は、信号符号化、データ処理、電力制御、入力／出力処理、および／またはＷＴＲＵ１０２が無線環境で動作することを可能にする他の任意の機能を実行することができる。プロセッサ１１８は、送受信機１２０に結合することができ、送受信機１２０は、送受信要素１２２に結合することができる。図１Ｂは、プロセッサ１１８と送受信機１２０を別々のコンポーネントとして示しているが、プロセッサ１１８と送受信機１２０は、電子パッケージまたはチップ内に一緒に統合できることが理解できよう。
【００２４】
送受信要素１２２は、エアインターフェース１１５／１１６／１１７を介して、基地局（例えば基地局１１４ａ）に信号を送信し、または基地局から信号を受信するように構成されることができる。例えば、一実施形態では、送受信要素１２２は、ＲＦ信号を送信および／または受信するように構成されたアンテナとすることができる。別の実施形態では、送受信要素１２２は、例えば、ＩＲ、ＵＶ、または可視光信号を送信および／または受信するように構成された放射器／検出器とすることができる。また別の実施形態では、送受信要素１２２は、ＲＦ信号と光信号の両方を送信および受信するように構成されることができる。送受信要素１２２は、無線信号の任意の組み合わせを送信および／または受信するように構成されうることが理解されよう。
【００２５】
また、図１Ｂでは送受信要素１２２が単一の要素として示されているが、ＷＴＲＵ１０２は、任意の数の送受信要素１２２を含むことができる。より具体的には、ＷＴＲＵ１０２は、ＭＩＭＯ技術を利用することができる。従って、一実施形態では、ＷＴＲＵ１０２は、エアインターフェース１１５／１１６／１１７を介して無線信号を送信および受信するための２つ以上の送受信要素１２２（例えば複数のアンテナ）を含むことができる。
【００２６】
送受信機１２０は、送受信要素１２２によって送信される信号を変調し、送受信要素１２２によって受信された信号を復調するように構成されうる。上述したように、ＷＴＲＵ１０２はマルチモード機能を有することができる。従って、送受信機１２０は、ＷＴＲＵ１０２が、例えばＵＴＲＡおよびＩＥＥＥ８０２．１１などの複数のＲＡＴを介して通信することを可能にするための、複数の送受信機を含むことができる。
【００２７】
ＷＴＲＵ１０２のプロセッサ１１８は、スピーカ／マイクロフォン１２４、キーパッド１２６および／またはディスプレイ／タッチパッド１２８（例えば、液晶表示（ＬＣＤ）ディスプレイユニット若しくは有機発光ダイオード（ＯＬＥＤ）ディスプレイユニット）に結合され、それらからユーザ入力データを受信することができる。プロセッサ１１８は、スピーカ／マイクロフォン１２４、キーパッド１２６および／またはディスプレイ／タッチパッド１２８にユーザデータを出力することもできる。また、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ＲＡＭ、ＲＯＭ、ハードディスクまたは他の任意のタイプのメモリ記憶デバイスを含むことができる。リムーバブルメモリ１３２は、加入者識別モジュール（ＳＩＭ）カード、メモリスティックおよびセキュアデジタル（ＳＤ）メモリカードなどを含むことができる。他の実施形態では、プロセッサ１１８は、ＷＴＲＵ１０２上に物理的に配置されていない、サーバまたはホームコンピュータ（図示されず）上などのメモリから情報を入手ことができ、それらにデータを記憶することができる。
【００２８】
プロセッサ１１８は、電源１３４から電力を受け取ることができ、ＷＴＲＵ１０２内の他のコンポーネントへの電力の分配および／または制御を行うように構成されうる。電源１３４は、ＷＴＲＵ１０２に給電するための任意の適切なデバイスとすることができる。例えば、電源１３４は、１または複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２９】
プロセッサ１１８は、ＧＰＳチップセット１３６にも結合することができ、ＧＰＳチップセット１３６は、ＷＴＲＵ１０２の現在位置に関する位置情報（例えば経度および緯度）を提供するように構成されうる。ＧＰＳチップセット１３６からの情報に加えて、またはその代わりに、ＷＴＲＵ１０２は、基地局（例えば基地局１１４ａ、１１４ｂ）からエアインターフェース１１５／１１６／１１７を介して位置情報を受信することができ、および／または２つ以上の近くの基地局から受信した信号のタイミングに基づいて自らの位置を判定することができる。ＷＴＲＵ１０２は、一実施形態との整合性を保ちながら任意の適切な位置判定方法を用いて、位置情報を獲得できることが理解されよう。
【００３０】
プロセッサ１１８は、他の周辺機器１３８にさらに結合することができ、他の周辺機器１３８は、追加的な特徴、機能、および／または有線若しくは無線接続性を提供する、１または複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００３１】
図１Ｃは、一実施形態に係る、ＲＡＮ１０３およびコアネットワーク１０６のシステム図である。上述したように、ＲＡＮ１０３は、ＵＴＲＡ無線技術を利用して、エアインターフェース１１５を介してＷＴＲＵ１０２ａ、１０２ｂ、１０２ｃと通信することができる。ＲＡＮ１０３は、コアネットワーク１０６ａとも通信することができる。図１Ｃに示されるように、ＲＡＮ１０３は、ノードＢ１４０ａ、１４０ｂ、１４０ｃを含むことができ、ノードＢ１４０ａ、１４０ｂ、１４０ｃは各々、エアインターフェース１１５を介してＷＴＲＵ１０２ａ、１０２ｂ、１０２ｃと通信するための１または複数の送受信機を含むことができる。ノードＢ１４０ａ、１４０ｂ、１４０ｃは各々、ＲＡＮ１０３内の特定のセル（図示されず）に関連付けることができる。ＲＡＮ１０３は、ＲＮＣ１４２ａ、１４２ｂも含むことができる。ＲＡＮ１０３は、一実施形態との整合性を保ちながら、任意の数のノードＢおよびＲＮＣを含むことができることが理解されよう。
【００３２】
図１Ｃに示されるように、ノードＢ１４０ａ、１４０ｂは、ＲＮＣ１４２ａと通信することができる。また、ノードＢ１４０ｃは、ＲＮＣ１４２ｂと通信することができる。ノードＢ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂの各々は、それが接続されたそれぞれのノードＢ１４０ａ、１４０ｂ、１４０ｃを制御するように構成されることができる。また、ＲＮＣ１４２ａ、１４２ｂの各々は、アウターループ電力制御、負荷制御、アドミッション制御、パケットスケジューリング、ハンドオーバ制御、マクロダイバーシティ、セキュリティ機能およびデータ暗号化など、他の機能を実施またはサポートするように構成可能である。
【００３３】
図１Ｃに示されるコアネットワーク１０６は、メディアゲートウェイ（ＭＧＷ）１４４、モバイルスイッチングセンタ（ＭＳＣ）１４６、サービングＧＰＲＳサポートノード（ＳＧＳＮ）１４８および／またはゲートウェイＧＰＲＳサポートノード（ＧＧＳＮ）１５０を含むことができる。上記の要素の各々は、コアネットワーク１０６ａの部分として示されているが、これらの要素の任意の要素は、コアネットワーク運営体とは異なるエンティティによって所有および／または運営できることが理解されよう。
【００３４】
ＲＡＮ１０３内のＲＮＣ１４２ａは、ＩｕＣＳインターフェースを介して、コアネットワーク１０６内のＭＳＣ１４６に接続されうる。ＭＳＣ１４６はＭＧＷ１４４に接続されうる。ＭＳＣ１４６とＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。
【００３５】
ＲＡＮ１０３内のＲＮＣ１４２ａは、ＩｕＰＳインターフェースを介して、コアネットワーク１０６内のＳＧＳＮ１４８にも接続されうる。ＳＧＳＮ１４８はＧＧＳＮ１５０に接続されうる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００３６】
上述したように、コアネットワーク１０６は、ネットワーク１１２にも接続されることができ、ネットワーク１１２は、他のサービスプロバイダによって所有および／または運営される他の有線または無線ネットワークを含むことができる。
【００３７】
図１Ｄは、一実施形態に係る、ＲＡＮ１０４およびコアネットワーク１０７のシステム図である。上述したように、ＲＡＮ１０４は、エアインターフェース１１６を介してＷＴＲＵ１０２ａ、１０２ｂ、１０２ｃと通信するためにＥ−ＵＴＲＡ無線技術を利用することができる。ＲＡＮ１０４は、コアネットワーク１０７とも通信可能である。
【００３８】
ＲＡＮ１０４は、ｅノードＢ１６０ａ、１６０ｂ、１６０ｃを含むことができるが、ＲＡＮ１０４は、一実施形態との整合性を保ちながら、任意の数のｅノードＢを含みうることが理解されよう。ｅノードＢ１６０ａ、１６０ｂ、１６０ｃは各々、エアインターフェース１１６を介してＷＴＲＵ１０２ａ、１０２ｂ、１０２ｃと通信するための１または複数の送受信機を含むことができる。一実施形態では、ｅノードＢ１６０ａ、１６０ｂ、１６０ｃは、ＭＩＭＯ技術を実施可能である。従って、ｅノードＢ１６０ａは、例えば、複数のアンテナを使用し、ＷＴＲＵ１０２ａとの間で無線信号を送受信することができる。
【００３９】
ｅノードＢ１６０ａ、１６０ｂ、１６０ｃの各々は、特定のセル（図示されず）に関連付けられ、無線リソース管理判定、ハンドオーバ判定、並びにアップリンクおよび／またはダウンリンクにおけるユーザのスケジューリング等を処理するように構成されることができる。図１Ｄに示されるように、ｅノードＢ１６０ａ、１６０ｂ、１６０ｃは、Ｘ２インターフェースを介して互いに通信することができる。
【００４０】
図１Ｄに示されるコアネットワーク（ＣＮ）１０７は、モビリティ管理ゲートウェイ（ＭＭＥ）１６２、サービングゲートウェイ１６４およびパケットデータネットワーク（ＰＤＮ）ゲートウェイ１６６を含むことができる。上記要素の各々は、コアネットワーク１０７の部分として示されるが、これらの要素の任意の要素は、コアネットワーク運営体とは異なるエンティティによって所有および／または運営されうることが理解されよう。
【００４１】
ＭＭＥ１６２は、Ｓ１インターフェースを介して、ＲＡＮ１０４内のｅノードＢ１６０ａ、１６０ｂ、１６０ｃの各々に接続されることができ、制御ノードとしてサービスすることができる。例えば、ＭＭＥ１６２は、ＷＴＲＵ１０２ａ、１０２ｂ、１０２ｃのユーザの認証、ベアラ活動化／非活動化、ＷＴＲＵ１０２ａ、１０２ｂ、１０２ｃの初期接続中における特定のサービングゲートウェイの選択などを担うことができる。ＭＭＥ１６２は、ＲＡＮ１０４とＧＳＭまたはＷＣＤＭＡなどの他の無線技術を利用する他のＲＡＮ（図示されず）との間でスイッチングする制御プレーン機能も提供することができる。
【００４２】
サービングゲートウェイ１６４は、Ｓ１インターフェースを介して、ＲＡＮ１０４内のｅノードＢ１６０ａ、１６０ｂ、１６０ｃの各々に接続されうる。サービングゲートウェイ１６４は、一般に、ユーザデータパケットをＷＴＲＵ１０２ａ、１０２ｂ、１０２ｃに／からルーティングおよび転送することができる。サービングゲートウェイ１６４は、ｅノードＢ間ハンドオーバ中におけるユーザプレーンのアンカリング（anchoring）、ダウンリンクデータがＷＴＲＵ１０２ａ、１０２ｂ、１０２ｃに利用可能な場合に行うページングのトリガ、並びにＷＴＲＵ１０２ａ、１０２ｂ、１０２ｃのコンテキストの管理および記憶など、他の機能も実行することができる。
【００４３】
サービングゲートウェイ１６４は、ＰＤＮゲートウェイ１６６にも接続されることができ、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００４４】
コアネットワーク１０７は、他のネットワークとの通信を円滑化することができる。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。例えば、コアネットワーク１０７は、コアネットワーク１０７とＰＳＴＮ１０８の間のインターフェースとしてサービスするＩＰゲートウェイ（例えばＩＰマルチメディアサブシステム（ＩＭＳ）サーバ）を含むことができ、またはＩＰゲートウェイと通信することができる。また、コアネットワーク１０７は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００４５】
図１Ｅは、一実施形態に係る、ＲＡＮ１０５およびコアネットワーク１０９のシステム図である。ＲＡＮ１０５は、ＩＥＥＥ８０２．１６無線技術を利用して、エアインターフェース１１７を介してＷＴＲＵ１０２ａ、１０２ｂ、１０２ｃと通信する、アクセスサービスネットワーク（ＡＳＮ）とすることができる。以下でさらに説明するように、ＷＴＲＵ１０２ａ、１０２ｂ、１０２ｃの異なる機能エンティティと、ＲＡＮ１０５と、コアネットワーク１０９との間の通信リンクは、参照点として定義されることができる。
【００４６】
図１Ｅに示されるように、ＲＡＮ１０５は、基地局１８０ａ、１８０ｂ、１８０ｃと、ＡＳＮゲートウェイ１８２とを含むことができるが、ＲＡＮ１０５は、一実施形態との整合性を保ちながら、任意の数の基地局とＡＳＮゲートウェイとを含むことができることが理解されよう。基地局１８０ａ、１８０ｂ、１８０ｃは各々が、ＲＡＮ１０５内の特定のセル（図示されず）に関連付けられ、各々が、エアインターフェース１１７を介してＷＴＲＵ１０２ａ、１０２ｂ、１０２ｃと通信する１または複数の送受信機を含むことができる。一実施形態では、基地局１８０ａ、１８０ｂ、１８０ｃは、ＭＩＭＯ技術を実施することができる。従って、基地局１８０ａは、例えば、複数のアンテナを使用して、ＷＴＲＵ１０２ａに無線信号を送信し、ＷＴＲＵ１０２ａから無線信号を受信することができる。基地局１８０ａ、１８０ｂ、１８０ｃは、ハンドオフトリガリング、トンネル確立、無線リソース管理、トラフィック分類およびサービス品質（ＱｏＳ）ポリシ実施などの、モビリティ管理機能も提供することができる。ＡＳＮゲートウェイ１８２は、トラフィック集約ポイントとしてサービスすることができ、ページング、加入者プロファイルのキャッシング、コアネットワーク１０９へのルーティングなどを担うことができる。
【００４７】
ＷＴＲＵ１０２ａ、１０２ｂ、１０２ｃとＲＡＮ１０５の間のエアインターフェース１１７は、ＩＥＥＥ８０２．１６仕様を実施するＲ１参照点として定義されうる。また、ＷＴＲＵ１０２ａ、１０２ｂ、１０２ｃの各々は、コアネットワーク１０９との論理インターフェース（図示されず）を確立することができる。ＷＴＲＵ１０２ａ、１０２ｂ、１０２ｃとコアネットワーク１０９の間の論理インターフェースは、Ｒ２参照点として定義されることができ、Ｒ２参照点は、認証、認可、ＩＰホスト構成管理および／またはモビリティ管理のために使用されることができる。
【００４８】
基地局１８０ａ、１８０ｂ、１８０ｃの各々の間の通信リンクは、ＷＴＲＵハンドオーバおよび基地局間でのデータの転送を円滑化するためのプロトコルを含む、Ｒ８参照点として定義されうる。基地局１８０ａ、１８０ｂ、１８０ｃとＡＳＮゲートウェイ１８２の間の通信リンクは、Ｒ６参照点として定義されうる。Ｒ６参照点は、ＷＴＲＵ１０２ａ、１０２ｂ、１０２ｃの各々に関連するモビリティイベントに基づいたモビリティ管理を円滑化するためのプロトコルを含むことができる。
【００４９】
図１Ｅに示されるように、ＲＡＮ１０５はコアネットワーク１０９に接続されうる。ＲＡＮ１０５とコアネットワーク１０９の間の通信リンクは、例えばデータ転送およびモビリティ管理機能を円滑化するためのプロトコルを含む、Ｒ３参照点として定義されうる。コアネットワーク１０９は、モバイルＩＰホームエージェント（ＭＩＰ−ＨＡ）１８４と、認証認可課金（ＡＡＡ）サーバ１８６と、ゲートウェイ１８８とを含むことができる。上記要素の各々は、コアネットワーク１０９の部分として示されているが、これらの要素の任意の要素は、コアネットワーク運営体とは異なるエンティティによって所有および／または運営されうることが理解されよう。
【００５０】
ＭＩＰ−ＨＡは、ＩＰアドレス管理を担うことができ、ＷＴＲＵ１０２ａ、１０２ｂ、１０２ｃが、異なるＡＳＮの間で、および／または異なるコアネットワークの間でローミングを行うことを可能にする。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。ＡＡＡサーバ１８６は、ユーザ認証およびユーザサービスのサポートを担うことができる。ゲートウェイ１８８は、他のネットワークとの網間接続を円滑化することができる。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。また、ゲートウェイ１８８は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００５１】
図１Ｅには示されていないが、ＲＡＮ１０５は他のＡＳＮに接続され、コアネットワーク１０９は他のコアネットワークに接続されうることが理解されよう。ＲＡＮ１０５と他のＡＳＮの間の通信リンクはＲ４参照点として定義されることができ、Ｒ４参照点は、ＲＡＮ１０５と他のＡＳＮの間で、ＷＴＲＵ１０２ａ、１０２ｂ、１０２ｃのモビリティを調整するためのプロトコルを含むことができる。コアネットワーク１０９と他のコアネットワークの間の通信リンクはＲ５参照点として定義され、Ｒ５参照点は、ホームコアネットワークと在圏コアネットワークの間の網間接続を円滑化するためのプロトコルを含むことができる。
【００５２】
３ＧＰＰに基づくネットワークでは、例えば、輻輳緩和、および／または、サービスの優先度設定が提供され得る。一部の事例では、一部のサービス／手順は、より低い優先度を有し得るものであり、または、少しも可能とされ得ないものであり、一方で他のサービスは、より高い優先度を与えられ得る。しかしながら進化型ノードＢ（ｅＮＢ）は、より低い優先度を有し得る（または、ことによると少しも可能とされ得ない）サービスに対する要求を含む無線リソース制御（ＲＲＣ）接続要求を、より高い優先度を有し得るものと弁別することが可能でない場合がある。実施形態は、様々なタイプのサービスの無線リソース制御（ＲＲＣ）接続要求をｅＮＢで区別することが有用であり得るということを企図する。
【００５３】
モバイルネットワーク（例えば、３ＧＰＰに基づくモバイルネットワーク）内の、輻輳緩和、および／または、あるサービスの優先度設定に対する考察が提供され得る。一部の事例では、１または複数のサービスおよび／または手順は、システム内で可能とされ得ないものであり（例えば、ユーザデータに対してモバイル発信されるシグナリング）、または、より低い優先度を与えられ得るものであり、一方で他のサービスは、より高い優先度を与えられ得る（例えば、パケット交換（ＰＳ）または回線交換（ＣＳ）ドメイン上の緊急時サービス）。アクセスクラス規制（ＡＣＢ：access class barring）、（例えば、回線交換フォールバック（ＣＳＦＢ）要求の低減を実現するための）サービス固有アクセス規制（ＳＳＡＢ：service specific access barring）、および／または、（例えば、低アクセス優先度デバイス（ＬＡＰＤ：low access priority device）であると考察されるデバイスによりなされるアクセス試行の数を低減するための）拡張アクセス規制（ＥＡＢ：extended access barring）などの、１または複数の規制機構が提供され得る。
【００５４】
１または複数のサービスの使用の、輻輳および／または優先度設定が提供され得る。例えばＭＯボイス通信要求、ＩＭＳボイスもしくはＣＳＦＢ要求などは、他のＩＰデータ（例えば、ビデオストリームおよび／またはブラウジングデータ）より高位で、上方に優先度設定され得る。ＲＲＣ＿ＩＤＬＥおよびＲＲＣ＿ＣＯＮＮＥＣＴＥＤでの輻輳緩和対処機構が、例えば、輻輳の間のモバイル発信アクセスの優先度設定（例えば、緊急時アクセス、高優先度アクセス、その他）を提供するために改善され得る。モバイル発信アクセス（例えば、ＭＯボイス通信、ＭＭＴＥＬボイスコール、および／またはＣＳＦＢボイスコールなどのボイスサービスの起動のためのアクセス）の優先度設定が、例えばことによると、オペレータのポリシー、および／または他のシナリオに基づいて、輻輳の間、提供され得る。
【００５５】
ＬＴＥネットワーク内の無線送受信ユニット（ＷＴＲＵ）は、ＳＭＳおよび／もしくはＣＳボイスコールなどのＣＳサービス、並びに／または付加サービス（ＳＳ）へのアクセスを有し得る。ＳＭＳサービスは、ＮＡＳシグナリングを使用して、本来備わったものとして提供され得る。例えばＳＭＳメッセージは、メッセージに対する運搬手段として作動し得るＬＴＥ  ＮＡＳメッセージによって送信され得る。ＣＳボイスコールは、ＣＳＦＢによって利用可能になされ得るものであり、例えばそのＣＳＦＢでＷＴＲＵは、（例えば、ＮＡＳ拡張サービス要求（ＥＳＲ：Extended Service Request）メッセージを使用して）システム間変更を実行することを要求し得る。一部の実施形態ではＣＳボイスコールは、ことによると例えばシステム間変更の後で、ＧＥＲＡＮ／ＵＴＲＡＮ内に置かれ得る。ＷＴＲＵは、ことによると例えば、ＷＴＲＵがアイドルモードであるときに、および／または、ＷＴＲＵが、接続モードでないときに、サービスを受信し得ない。ＷＴＲＵはＲＲＣ接続を確立し得るものであり、そのＲＲＣ接続のために、確立原因がｅＮＢに渡され得るものであり、例えばそのことによってｅＮＢは、接続要求に対する理由を知り、および／または、それを基に作動する（例えば、要求を承諾または拒絶する）ことが可能である。ＷＴＲＵが使用し得る確立原因は、ＷＴＲＵが要求している場合がある手順（例えば、示されるサービス）に対応し得る。ＮＡＳレイヤは、確立原因（または、示されるサービス）および／または対応する手順を検証し得る。ＮＡＳレイヤは、確立原因またはサービス表示をＲＲＣレイヤに渡し得る。表１は、例えば、サービス要求／サービス表示が起動させられるときに使用され得る、確立原因を例示する。ＷＴＲＵは、例えばサービス要求起動で、ことによると、ＳＭＳを送信する、ＣＳＦＢを要求する、および／または、ＩＰデータに対するリソースの使用を要求する、等のために、接続モードに遷移し得る。
【００５６】
【表１】
2019024237.tif 000003
【００５７】
一部の実施形態は、ｅＮＢは、ＳＭＳに対するＷＴＲＵからの要求と、ＩＰデータとの間で区別しない場合があるということを認識する。表１で例示されるように、例えばＷＴＲＵ（例えば、ＮＡＳ）は、ことによると例えば、サービス要求手順が、ＣＳＦＢ、ＳＭＳ送信、および／またはユーザプレーンリソースに対して起動させられ得るならば、サービス表示または確立原因をＭＯデータにセットし得る。一部の実施形態は、ｅＮＢは、ＲＲＣ接続要求間で区別しない場合があり、適切な規制および／または優先度設定機構を適用することが可能でない場合があるということを認識する。システム性能をエンハンスする、輻輳を低減するため、および／または、１もしくは複数のサービス（例えば、ＭＯボイス通信）を上方に優先度設定するために、実施形態は、要求が、ことによると例えば、数あるシナリオの中でも、システムおよび／またはｅＮＢ上の輻輳レベルに基づいて扱われ得るように、要求をｅＮＢで区別することが有用であり得るということを企図する。例えばｅＮＢは、ＭＯボイスコールを可能とするように構成され得るものであり、一方でＳＭＳは、（例えば、ことによるとＳＭＳは、数ある理由の中でも、非リアルタイムサービスであるので）（例えば、相対的に高い）輻輳の時間には可能とされ得ない（または、ＭＯボイスコールより低い相対的な優先度を提供され得る）。
【００５８】
１または複数のＷＴＲＵを、例えば、ことによると（例えば、本明細書で説明されるような）あるサービスに対する、システムにアクセスするためのある構成によって制限し得る、１または複数の規制機構が提供され得る。実施形態は、規制機構を最適化することが有用であり得るということを企図する。例えばＣＳＦＢは、ボイスコールおよび付加サービス（ＳＳ）に対して使用され得る。ボイスコールはＳＳより重要であり得る。ＷＴＲＵの、および／またはネットワークの（例えば、ｅＮＢの）観点からは、ＣＳＦＢを実行するための実際の理由（例えば、ボイスコールまたはＳＳ）は、トランスペアレントであり得る。実施形態は、定義されるアクセスクラス規制（ＡＣＢ）機構は、ボイスコールに起因する、またはＳＳに起因する、ＣＳＦＢに対する規制の間で区別しない場合があるということを認識する。アイドルモードであるＷＴＲＵに対して、実施形態は、アクセス制御機構が、ボイスまたはビデオ（例えば、ＩＰマルチメディアシステム（ＩＭＳ）ボイスまたはビデオ）アクセスを、他のデータからとの間で区別しない場合があるということを認識する。ボイスは、例えば、ＲＲＣアイドル状態から、ＲＲＣ接続状態に移行するときに、上方に優先度設定されない場合がある。
【００５９】
ネットワークは、サービス固有アクセス制御（ＳＳＡＣ：service specific access control）を使用して、ＲＲＣ接続確立でのＭＭＴＥＬボイスおよびＭＭＴＥＬビデオに対する、モバイル発信される（ＭＯ）アクセスを、抑制し、および／または、下方に優先度設定する場合がある。ネットワークは、ＳＳＡＣを使用せずに、輻輳での他のＭＯアクセスを不可能とし、一方で、ＭＭＴＥＬボイスおよびＭＭＴＥＬビデオに対するＭＯアクセスを可能とする場合がある。ボイスオーバーＬＴＥ（ＶｏＬＴＥ）コールは、二重の規制に困苦する場合がある。例えばＶｏＬＴＥコールは、ＳＳＡＣにより規制され得るものであり、再び正規のＡＣＢにより規制され得る。ＶｏＬＴＥを要求するＷＴＲＵが、ＩＭＳレベルでのＳＳＡＣテストに通る場合でも、それは、それが通らない場合がある、ＲＲＣでのレガシーのＡＣＢテストを受ける場合がある。通常のデータのアクセスは、例えばボイスコールに影響を及ぼすことなく、ＡＣＢによって制御されない場合がある。そのようなアクセス規制機構は、ＶｏＬＴＥトラフィックが、例えば背景トラフィックより高い優先度を有し得る機構との競合の状態にあり得る。ＳＭＳに対する要求と、ＩＰデータとの間で区別する能力の欠乏、および、不充分な規制機構は、ＲＲＣ接続確立に対する試行の数の増大を結果として生じさせ得る。ＲＲＣ接続確立に対する試行の数の増大は、システムを悪化させ得るものであり、ただしそのことは、ことによると例えば、より少ない数のサービスがネットワークにより可能とされ得る場合の輻輳に限定されない。
【００６０】
サービス品質（ＱＯＳ）クラス識別子（ＱＣＩ）に基づくアクセス規制が提供され得る。アクセス制御は、１または複数のＱｏＳ機構、例えばＱＣＩにより適用および／または実行され得る。ＷＴＲＵは、ＷＴＲＵが有し得るベアラの１もしくは複数、または各々に対するＱＣＩを承知し得る。ｅＮＢは、上方に優先度設定されるのが有用であり得るＱＣＩベアラをシグナリングし得るものであり、ことによると一方で、他のベアラは、バックオフされ、または、より低い優先度を割り当てられ得る。ＱＣＩベアラのそのような優先度設定は、ＷＴＲＵが、パケットを、上方に優先度設定され得た特定のベアラ上で送信し、一方で、他のベアラ上でのデータに対するシステムアクセス要求をバックオフすることを引き起こし得る。実施形態は、ネットワークおよび／またはｅＮＢが、ネットワーク内に輻輳が存在することを、および／または、ことによると、ボイスもしくはあるＱＣＩが上方に優先度設定され得るかどうかを示すための、１または複数の技法を企図する。
【００６１】
実施形態は、ＷＴＲＵが、異なるレイヤ、例えばＡＳ、ＮＡＳ、およびＩＭＳアプリケーションでの多重アクセス規制機構を有し得るということを認識する。実施形態は、これらの機構が、例えば何らの競合も引き起こすことなく、ＱＣＩアクセス規制機構と並列で働き得るような、１または複数の技法を企図する。
【００６２】
実施形態は、ＷＴＲＵが、あるシナリオで、例えば何らかの緊急時に、ことによると、ＱＣＩに基づくアクセス規制を起動させるｅＮＢの代わりに、ボイスパケットを搬送するそのベアラを、他のベアラより高位で、上方に優先度設定することが有用であり得るということを認識する。実施形態は、ＷＴＲＵがそのようなＱＣＩレベル優先度設定を要求するための、および／または、どのようにネットワーク／ｅＮＢがＷＴＲＵからのそのような要求を処理し得るかの、１または複数の技法を企図する。
【００６３】
サービスタイプごとの確立原因および／またはサービス表示が提供され得る。確立原因（またはサービス表示）は、ＳＭＳに対してモバイル発信される（ＭＯ）要求、ＭＯボイス通信、ボイスコールに対するＣＳＦＢ、および／または、ＳＳに対するＣＳＦＢを区別し得る。そのような確立原因またはサービス表示は、ＧＥＲＡＮ／ＵＴＲＡＮに適用し得る。例えばＵＴＲＡＮではＷＴＲＵは、ボイスコール、ＳＭＳ、および／またはＳＳに対する、一意的な確立原因またはサービス表示を使用し得る。ＷＴＲＵ（例えば、ＮＡＳ）は、ことによると例えば、ＭＯボイス通信、および／または、ボイスコールに対するＭＯ  ＣＳＦＢに対するサービス要求手順を起動させるときに、サービス表示または確立原因を、ＭＯボイス通信および／またはＭＯ  ＣＳＦＢボイスにセットし得る。ＷＴＲＵ（例えば、ＮＡＳ）は、ことによると例えば、ＳＳに対するＣＳＦＢに対するサービス要求手順を起動させるときに、サービス表示または確立原因をＣＳＦＢ  ＳＳにセットし得る。ＷＴＲＵ（例えば、ＮＡＳ）は、ことによると例えば、ＭＯ  ＳＭＳに対する（または、ＭＴ  ＳＭＳに対する）サービス要求手順を起動させるときに、サービス表示または確立原因を、ＭＯ  ＳＭＳ（または、モバイル着信されるＳＭＳに対するＭＴ  ＳＭＳ）にセットし得る。ＷＴＲＵ  ＲＲＣレイヤは、示されるサービスに対する要求をネットワーク／ｅＮＢに送信し得る。一部の実施形態ではＲＲＣ要求は、ことによるとサービスに対する確立原因の部分として、サービス表示を含み得る。
【００６４】
ｅＮＢは、ことによると例えば、要求されるサービスに基づいて、ＲＲＣ要求を（例えば、ある要求を拒絶するために）フィルタリングするように構成され得る。ｅＮＢは例えば、ＳＭＳに対する要求を拒絶し得る。ｅＮＢは、例えばことによると、確立原因がＭＯ  ＳＭＳにセットされるならば、および／または、ｅＮＢがＳＭＳサービスに対する要求を拒絶するように構成されるならば、ＲＲＣ接続に対する要求を拒絶し得る。
【００６５】
ｅＮＢは、（例えば、運用および保守（Ｏ＆Ｍ：operations and maintenance）によって提供される）構成を有し得るものであり、そのことによって構成は、要求を承諾または拒絶するために使用され得る。ＭＭＥは、ｅＮＢに、ＭＯ  ＳＭＳ、ＭＯボイス通信、ＣＳＦＢ  ＳＳなどのある特定のサービスに対する接続を拒絶するように通知し得る。ＭＭＥは、定義され得るＳ１ＡＰ手順を使用してそのように行い得るものであり、ＭＭＥは、サービスが下方に優先度設定されるということを示し得る。これは、ビット位置が（例えば、ＷＴＲＵに対してｅＮＢ／通信ネットワークにより提供される／容易にされる）あるサービスを指し得る、ビットマップを使用して行われ得る。ｅＮＢは、例えば、ＭＭＥから、または構成を介してのいずれかで受信される情報に基づいて、ＲＲＣ接続を拒絶し、または、影響を与えられ得る現存する接続を解放し得る。Ｓ１ＡＰ手順（例えば、Ｓ１ＡＰ過負荷開始）が利用され得る。ＭＭＥは、ｅＮＢに、本明細書で説明されるようなサービスに対してアクセス制約を停止する（例えば、要求を承諾する）ように通知するための機構を使用し得る。
【００６６】
ｅＮＢは、例えばランダムアクセスチャネル（ＲＡＣＨ）手順の間、ＷＴＲＵのＭＳＧ１またはＭＳＧ３を拒絶し得る。ｅＮＢは、拒絶に対する理由がサービス（例えば、ＭＯ  ＳＭＳ）であり得るということを示すための原因コードを含み得る。ＷＴＲＵは、（例えば、対応する確立原因で示されるような）要求されるサービスが、例えば、ｅＮＢによる接続の拒絶を基に、および／または、ＲＲＣ接続の解放を基に、可能とされ得ないということを知得し得る。ｅＮＢはタイマを含み得るものであり、ＷＴＲＵは、そのタイマを使用して、ことによると例えば、タイマが満了するまで、および／または、表示がＷＴＲＵにより、例えばシステム情報ブロック（ＳＩＢ）によって受信され得るまで、このサービスに対する要求を送信することをバックオフまたは自制し得る。ＳＩＢは、サービスが再び許可され得るということを示し得る。ｅＮＢは、要求を続行し、および／または、確立原因をＭＭＥに転送し得る。ＭＭＥは、示されるサービス、または、示されるサービスのタイプに基づいて、接続を拒絶することを判断し得る。接続拒絶は、ＭＭＥで実現され得る。ＭＭＥは、ＮＡＳ接続を（例えば、サービス拒絶によって）拒絶し得るものであり、原因をＷＴＲＵに示し得る。ＭＭＥは、原因をバックオフタイマとともに示し得る。バックオフタイマは、ＷＴＲＵが、拒絶されるサービスに対する他の要求を送信することを、タイマが満了させられるまで、および／または、ＷＴＲＵが同様のＭＴサービスに対してページングされるまで禁止し得る。一部の実施形態ではＷＴＲＵは、示されるサービスに対する要求を送信するために、バックオフ時間または自制時間（例えば、規制時間）に対する内部的なタイマを監視し得る。ＷＴＲＵタイマは、ｅＮＢによる接続の拒絶を基に、ＲＲＣ接続の解放、および／または、１もしくは複数のサービスが許可されないということを示す別の信号の受信を基に、アクティブ化／開始され得る。ＷＴＲＵタイマプリセット値は、静的に構成され、および／または、（例えば、その１または複数のサービスを示す信号の部分として）、動的に調整可能であり得る。
【００６７】
図２を参照すると、２００２で、ＷＴＲＵ２０００は、ＳＩＢをｅＮＢ２００１から受信し得るものであり、そのＳＩＢは、１もしくは複数のサービス、例えば、ＭＯ  ＳＭＳ、および／もしくはボイスなどが可能とされ、並びに／または、１もしくは複数のサービスが可能とされないということを示し得る。２００４で、例えばＮＡＳは、メッセージをＲＲＣに送信し得るものであり、メッセージは、サービス要求を、ことによるとサービス通知または確立原因とともに含み得る（例えば、ＭＯ  ＳＭＳ、および／またはＭＯボイスコール、または類するものなどの、新たなコール／サービスタイプを内包する）。２００６で、ＷＴＲＵ２０００は、ことによると例えば、ＳＩＢで受信される情報、および／またはサービス要求に基づいて、ＲＲＣ接続要求を送信して、対応するサービスに対するＲＲＣ接続を確立し得る。例えば、ＭＯ  ＳＭＳに対するビット位置が、（例えば、ビットマップ内で）ＭＯ  ＳＭＳがｅＮＢ２００１（および／または、ｅＮＢ２００１がその部分である通信ネットワーク）により可能となり得る（例えば、規制されない）ということを示す値にセットされ得る。ＷＴＲＵ２０００は、ことによると例えば、ＳＩＢおよび／またはビット位置を読み出した後で、ＭＯ  ＳＭＳに対するＲＲＣ接続要求を（例えば、ｅＮＢ／ネットワークに）送信し得る。代替的または追加的に、２００８で、ＷＴＲＵ２０００は、ことによると例えば、ＳＩＢで受信される情報、および／またはサービス要求に基づいて、ＲＲＣ接続要求を送信して、対応するサービスに対するＲＲＣ接続を確立することを自制し得る。例えば、ＭＯ  ＳＭＳに対するビット位置が、（例えば、ビットマップ内で）ＭＯ  ＳＭＳがｅＮＢ２００１（および／または、ｅＮＢ２００１がその部分である通信ネットワーク）により可能となり得るものでない（例えば、規制される）ということを示す値にセットされ得る。ＷＴＲＵ２０００は、ことによると例えば、ＳＩＢおよび／またはビット位置を読み出した後で、ＭＯ  ＳＭＳに対するＲＲＣ接続要求を（例えば、ｅＮＢ／ネットワークに）送信することを自制し得る。自制することは、例えばＭＯ  ＳＭＳに対するＡＣＢを実現することを含み得る、ＭＯ  ＳＭＳサービスを規制することを含み得る。
【００６８】
サービスごとの、より微細な（例えば、より粒度の小さい）規制が提供され得る。実施形態は、特定のサービスごとに規制することの、より微細な粒度を企図する（例えば規制機構は、ＭＯボイス通信、ボイスに対するＭＯ  ＣＳＦＢ、ＣＳＦＢ  ＳＳ、および／またはＭＯ  ＳＭＳに対して実現され得る）。ビットマップ（または他の表示）が、サービスが可能とされ得る（例えば、規制されない）、および／または、可能とされ得ない（例えば、規制される）ということを示すために、システム情報ブロック（ＳＩＢ）に含まれ得る。
【００６９】
例えばｅＮＢは、（ことによると例えば、本明細書で説明されるようなＭＭＥからの構成または表示を使用して）ビット位置を、対応するサービスに対して１にセットし得る（例えばビット位置は、あるサービスを表す、またはそのサービスに対応することが知られ得る）。対応するサービスに対する１のビット位置は、サービスがｅＮＢ／通信ネットワークにより可能とされる（例えば、規制されない）ということを示し得る。ＷＴＲＵは、この情報をＳＩＢから読み出し得るものであり、ＷＴＲＵは、対応するサービスに対するＲＲＣ接続を（例えば、ＮＡＳレイヤなどの別のレイヤにより要求されるように）確立し得る。例えば（例えば、相対的に低い）輻輳の間、ＳＭＳに対するビット位置は１にセットされ得るものであり、ＷＴＲＵは、ＳＩＢおよび／またはビット位置を読み出した後で、ＳＭＳに対するＲＲＣ接続要求を送信し得る。実施形態は、１または０のビット値が、ことによると、オペレータ／ユーザデバイスごとに最も適して構成されるように、可能となり得る（例えば、規制されない）サービス、または、可能とされない（例えば、規制される）サービスを伝えるために使用され得るということを企図する。
【００７０】
さらに例として、対応するサービスに対する０のビット位置は、サービスがｅＮＢ／通信ネットワークにより可能とされない（例えば、規制される）ということを示し得る。ＷＴＲＵは、この情報をＳＩＢから読み出し得るものであり、ＷＴＲＵは、対応するサービスに対するＲＲＣ接続を確立することを自制し得る。例えば（例えば、相対的に高い）輻輳の間、ＳＭＳに対するビット位置は０にセットされ得るものであり、ＷＴＲＵは、ＳＩＢおよび／またはビット位置を読み出した後で、ＳＭＳに対するＲＲＣ接続要求を送信することを自制し得る。自制することは、ＳＭＳに対するＡＣＢを適用することを含み得る、ＳＭＳを規制することを含み得る。ＲＲＣレイヤは、ＮＡＳレイヤに、規制に関して通知し得る。ＲＲＣレイヤは、ＮＡＳレイヤに、規制がいつ終了するか／終了するかどうかを通知し得る。ＮＡＳレイヤ（例えば、進化型モビリティ管理（ＥＭＭ））は、要求をトリガし得るエンティティ（例えば、ＳＭＳエンティティ）に、サービスが、ことによるといくらかの時間の間、利用不可能であり得るということを通知し得る。ＷＴＲＵは、対応するメッセージをユーザに表示し得る。
【００７１】
図３を参照すると、３００２で、ＷＴＲＵ３０００は、ＳＩＢをｅＮＢ３００１から受信し得るものであり、そのＳＩＢは、１もしくは複数のサービス、例えば、ＭＯ  ＳＭＳ、および／もしくはボイス等が可能とされ、並びに／または、１もしくは複数のサービスが可能とされないということを示し得る。３００３で、ＷＴＲＵ３０００は、ことによると例えば、ＳＩＢで受信される情報、および／またはサービス要求に基づいて、ＲＲＣ接続要求を送信して、可能ではないと示される１または複数のサービスに対するＲＲＣ接続を確立することを自制し得る。例えば、ＭＯ  ＳＭＳに対するビット位置が、（例えば、ビットマップ内で）ＭＯ  ＳＭＳがｅＮＢ３００１（および／または、ｅＮＢ３００１がその部分である通信ネットワーク）により可能となり得るものでない（例えば、規制される）ということを示す値にセットされ得る。３００４で、ＲＲＣレイヤは、ＮＡＳレイヤに、サービス固有ＡＣＢを通知し得る。ＲＲＣレイヤは、ＮＡＳレイヤに、規制がいつ終了するか、および／または、終了することになるかを通知し得る。３００６で、ＮＡＳレイヤ（例えば、ＥＭＭ）は、要求をトリガしたエンティティ（例えば、ＳＭＳエンティティ）に、サービスが（例えば、いくらかの時間の間）利用不可能であるということを通知し得る。
【００７２】
ネットワーク（例えば、ｅＮＢおよび／またはＭＭＥ）は、ＷＴＲＵに、ＳＭＳに対するＭＯ要求は（例えば、ネットワークにより構成されるような）ある継続期間の間許可され得ないということを通知し得るものであり、そのことは、ことによると例えば、ボイスコールに対する成功裏のＲＲＣ接続の機会を増大し、輻輳を低減し、および／または、ボイスコールなどのあるサービス（例えば、ＭＯボイス、ボイス通信、ボイスに対するＩＭＳおよび／もしくはＣＳＦＢ、またはＣＳＦＢ）を上方に優先度設定するためのものである。そのような許可情報は、他のやり方ではＳＭＳに対して起動させられ得たＲＲＣ接続要求を低減し得るものであり、そのことは例えば、他のサービス（例えば、より高い優先度のものであり得るボイスコール）に対する成功の機会を増大し得る。
【００７３】
１または複数の優先度レベルが提供され得る。例えば、ＭＴ  ＩＭＳおよび／またはＭＯボイス通信（および／またはＣＳＦＢボイス）は、最も高い優先度（例えば、優先度レベル１）を与えられ得る。ＭＯボイス通信および／またはＭＯ  ＩＭＳおよび／またはＣＳＦＢボイスは、優先度レベル１より低い優先度（例えば、優先度レベル２）を与えられ得る。ＭＴ  ＳＭＳは、優先度レベル２より低い優先度（例えば、優先度レベル３）を与えられ得る。ＭＯ  ＳＭＳは、優先度レベル３より低い優先度（例えば、優先度レベル４）を与えられ得る。ＭＴ  ＳＳは、優先度レベル４より低い優先度（例えば、優先度レベル５）を与えられ得る。ＭＯ  ＳＳは、最も低い優先度（例えば、優先度レベル６）を与えられ得る。ＷＴＲＵは、優先度レベルのこのリスト（または、他の同様のリスト）によって構成され得る。ＷＴＲＵは、輻輳制御を開始するように通知され得る。ＷＴＲＵは、構成を使用して、ことによると、ｅＮＢによりブロードキャストシグナリングを使用して通知されるような、並びに／または、専用化されたシグナリングによってｅＮＢおよび／もしくはモビリティ管理エンティティ（ＭＭＥ）から通知されるような、あるサービスを要求することを自制し得る。企図される技法の１または複数は、ＧＥＲＡＮ／ＵＴＲＡＮで用いられ得る。企図される技法の１または複数は、ＷＴＲＵにより、接続モードで用いられ得る。１または複数の技法は、それぞれ、ＧＥＲＡＮ／ＵＴＲＡＮに対する基地局システム（ＢＳＳ）／ＲＮＣにより用いられ得る。ＭＭＥ等価物は、モバイルスイッチングセンタ（ＭＳＣ）またはＳＧＳＮであり得る。
【００７４】
オペレータポリシーに基づくアクセス制御が提供され得る。オペレータポリシーに基づくアクセス制御は、オペレータ固有のポリシーおよびアクセス制御規則の使用を通じて現実化され得る。ポリシーは、フローに基づくポリシー（例えば、ＩＰフローに基づくポリシー）、サービスに基づくポリシー（例えば、特定のＡＰＮ）、シグナリング無線ベアラに基づくポリシー（例えば、シグナリング無線トラフィックフィルタまたは識別子）、データ無線ベアラに基づくポリシー、および／または、ＱＣＩに基づくポリシー、等であり得る。ＩＰフローフィルタは、アドレスタイプ、開始ソースＩＰアドレス、終了宛先ＩＰアドレス、プロトコルタイプ、開始ソースポート番号、終了ソースポート番号、開始宛先ポート番号、終了宛先ポート番号、ＱＯＳ、および／またはアプリケーションＩＤの、１または複数を含み得る。ポリシーは、ＷＴＲＵ上であらかじめ構成され、および／または、ＷＴＲＵに、例えば制御プレーンを通じて、もしくはユーザプレーンを通じてシグナリングされ得る。制御プレーンによるシグナリングの例は、ＲＲＣブロードキャストシグナリング、ＲＲＣ個別シグナリング、および／またはＮＡＳシグナリング、等であり得る。ユーザプレーンシグナリングの例は、Ｓ１４インターフェースによるシグナリングであり得る。ＡＮＤＳＦポリシーシグナリング機構が使用され得る。ユーザプレーンシグナリング機構の別の例は、ＩＭＳシグナリングデータベアラによるシグナリングであり得る。ポリシーは、列挙され、および／または、ビットマップの形式で表され得るものであり、列挙またはビットマップの、１もしくは複数の、または各々の要素は、ＷＴＲＵでの特定のポリシー定義を指し示す。例えば異なるポリシーが、異なるカテゴリのユーザに対してセットされ得る（例えば、ゴールドユーザ対シルバーユーザ対ブロンズユーザ）。
【００７５】
ポリシーに基づくアクセス制御は、例えばアクセス規制機構および／またはアクセス優先度設定機構によって達成され得る。ネットワーク（例えば、ｅＮＢおよび／またはＭＭＥ）は、ポリシーに基づくアクセス制御情報をＷＴＲＵにシグナリングして、１または複数の特定のアクセス規制ポリシーをアクティブ化し得る。ネットワーク（例えば、ｅＮＢおよび／またはＭＭＥ）は、ポリシーに基づくアクセス制御情報をＷＴＲＵにシグナリングして、特定のアクセス優先度設定ポリシー、または複数のポリシーをアクティブ化し得る。ポリシーの実行は、アクセス層で、ＡＣＢまたはＥＡＢ機構の実行に関して、例えばその実行のように行われ得る。ポリシーの実行は、１または複数のより高いレイヤ、例えば、非アクセス層レイヤ、または、ＳＳＡＣのようなＩＭＳレベルで行われ得る。ポリシーの実行は、ことによると例えば、アクセス制御されているトラフィックのタイプに依存して、アクセス層レイヤ、および／または、より高いレイヤで提供され得る。ポリシーの定義は、有効エリア定義を含み得る。例えばポリシーは、ＷＴＲＵ内のポリシーに対して定義される有効エリアが、加入者の現在の場所を含み得るならば、ネットワークによりアクティブ化され得るものであり、および／または、与えられる加入者に適用し得る。ポリシーは、ポリシーの適用範囲に対するその日の時間を含み得る。例えばポリシーは、ＷＴＲＵ内のポリシーに対して定義されるその日の時間が、その間はポリシーがアクティブであり得る時間をカバーし得るならば、ネットワークによりアクティブ化され得るものであり、および／または、与えられる加入者に適用し得る。
【００７６】
ネットワークは、ＷＴＲＵを１または複数のポリシーによって構成し得る。例えば、３つのポリシーＰ１およびＰ２およびＰ３（例示の目的であって、制限的でない目的で使用されるポリシー注釈）が存在し得る。ポリシーＰ１はゴールド加入者に対してセットされ得るものであり、ポリシーＰ２はシルバー加入者に対してセットされ得るものであり、ポリシーＰ３はブロンズ加入者に対してセットされ得る。例えば、ポリシーＰ１、Ｐ２および／またはＰ３の、１または複数は、１または複数のトラフィックフローフィルタを含み得る。また例えば、例のポリシーＰ１は、３つのＩＰフローフィルタ（例えば、Ｆ１（Ｐ１）、Ｆ２（Ｐ１）、Ｆ３（Ｐ１））を含み得る。ポリシーＰ２は、３つのＩＰフローフィルタ（例えば、Ｆ１（Ｐ２）、Ｆ２（Ｐ２）、Ｆ３（Ｐ２））を含み得る。ポリシーＰ３は、２つのＩＰフローフィルタ（例えば、Ｆ１（Ｐ３）、Ｆ２（Ｐ３））を含み得る。
【００７７】
アクセスネットワーク発見および選択機能（ＡＮＤＳＦ）サーバは、Ｓ１４インターフェースによって、ＷＴＲＵをＰ１、Ｐ２および／またはＰ３ポリシーで構成し得る。ｅＮＢは、ＷＴＲＵをポリシーＰ１、Ｐ２および／またはＰ３によって構成し得る。ｅＮＢは、個別ＲＲＣシグナリングおよび／またはＲＲＣブロードキャストシグナリングを使用し得る。ＷＴＲＵのＲＲＣレイヤは、ことによると例えば、ポリシーＰ１、Ｐ２および／またはＰ３を受信することを基に、ポリシーをＷＴＲＵ内部の上位レイヤに転送し得る。ＭＭＥは、ポリシーＰ１、Ｐ２および／またはＰ３をＷＴＲＵにシグナリングし得る。ＷＴＲＵのＮＡＳレイヤは、ことによると例えば、ポリシーＰ１、Ｐ２および／またはＰ３を受信することを基に、ポリシーを、ＷＴＲＵの上位レイヤ内部の他のエンティティに転送し得るものであり、および／または、それらを下方に、ＷＴＲＵ内部のアクセス層レイヤに転送し得る。
【００７８】
ＷＴＲＵは、オペレータにより、ポリシーＰ１、Ｐ２および／またはＰ３によって静的に予め構成され得る。ＷＴＲＵ上の予め構成されたポリシーは、本明細書で説明される方法の１つを使用して更新され得る。予め構成されたポリシーＰ１、Ｐ２および／またはＰ３を受信し得るＷＴＲＵ内の機能は、ポリシーを、ＷＴＲＵ上のＮＡＳレイヤ、アクセス層レイヤ、および／もしくはＡＮＤＳＦクライアント、または、アクセス制御と相互作用し得るＷＴＲＵ内の他のエンティティ、例えばＩＭＳレイヤに転送し得る。
【００７９】
ｅＮＢは、ビットマップ、例えば［ビット（Ｐ１）＝１、ビット（Ｐ２）＝０、ビット（Ｐ３）＝０］をＷＴＲＵにシグナリングし得る。ビットマップは、ＲＲＣ個別シグナリングおよび／またはＲＲＣブロードキャストシグナリングを使用してシグナリングされ得る。例えばｅＮＢは、ビットマップを使用して、ＷＴＲＵに、ポリシーＰ１の判定基準とマッチするトラフィック（例えば、ポリシーＰ１で定義され得るＩＰフロー）が、アクセスに対して上方に優先度設定され得るものであり、ことによると一方で、ポリシーＰ２および／またはＰ３の判定基準とマッチするトラフィックは、アクセスから規制され、または、Ｐ１トラフィックのものより低い相対的な優先度を割り当てられ得るということを通知し得る。ｅＮＢは、ＷＴＲＵ上のアクセス制御のアクティブ化および／または非アクティブ化を、アクティブ化フラグを使用して制御し得る。ｅＮＢは、アクティブ化フラグをＷＴＲＵに、ＲＲＣ個別シグナリングおよび／またはＲＲＣブロードキャストシグナリングを使用してシグナリングし得る。例えばことによると最適化として、ｅＮＢは、ポリシーＰ１、Ｐ２および／またはＰ３の、１もしくは複数、または各々に対する優先度因子をブロードキャストし得るものであり、ポリシーの１もしくは複数、または各々に対して、０≦優先度因子（priority factor）≦１である。ネットワーク（例えば、ｅＮＢ）は、与えられるポリシーに対する優先度因子を使用して、１または複数のＷＴＲＵを、アクセスに対して上方に優先度設定され得る与えられるポリシーによって制御し得る。ｅＮＢは、ポリシーＰ１、Ｐ２および／またはＰ３の、１もしくは複数、または各々に対する規制因子をブロードキャストし得るものであり、ポリシーの１もしくは複数、または各々に対して、０≦規制因子（barring factor）≦１である。ｅＮＢは、規制因子を使用して、１または複数のＷＴＲＵを、アクセスに対して規制され得る与えられるポリシーによって制御し得る。ｅＮＢは、ポリシーＰ１、Ｐ２および／またはＰ３の、１もしくは複数、または各々に対する規制時間をブロードキャストし得る。ｅＮＢは、与えられるポリシーに対する規制時間を使用して、どれだけ長くＷＴＲＵに対するアクセスが、そのポリシーにより定義される判定基準とマッチするトラフィックに対して規制され得るかを制御し得る。
【００８０】
他のネットワークノード、例えばＭＭＥが、ＷＴＲＵに、ポリシービットマップ、優先度因子、規制因子、および／または規制時間をシグナリングし得る。ＭＭＥは、この情報をＷＴＲＵに、例えば、ＮＡＳシグナリング、および／または、他のより高いレイヤプロトコルシグナリングを使用してシグナリングし得る。ＩＭＳシグナリングノードが、情報をＷＴＲＵにシグナリングし得る。ＡＮＤＳＦサーバなどのネットワークノードが、ポリシー情報をＷＴＲＵにシグナリングし得る。
【００８１】
ＩＰフローが、ポリシーＰ１、Ｐ２および／またはＰ３を（前の例でのように）説明するために使用され得る一方で、他のパラメータ、例えばＱＣＩおよび／またはＡＰＮ（例えば、サービスに基づくアクセス制御）が、ポリシーＰ１、Ｐ２および／またはＰ３を定義するために使用され得る。例えばＰ１は、ＱＣＩ１、ＱＣＩ５、および／もしくはＱＣＩ９を伴う、１もしくは複数のインターネットプロトコル（ＩＰ）フローを含み得るものであり、Ｐ２は、ＱＣＩ３および／もしくはＱＣＩ９を伴う、１もしくは複数のＩＰフローを含み得るものであり、Ｐ３は、少なくともＱＣＩ９または類するものを伴うＩＰフローを含み得るものである。ｅＮＢは、コアネットワークにより、ポリシーＰ１、Ｐ２および／またはＰ３によって構成され得る。ｅＮＢ機能は、ことによると例えば、ＩＰフローが、ポリシーを説明するために使用され得るならば、ＩＰフローフィルタを検出するように定義され得る。サービス品質クラス識別子（ＱＣＩ）番号は、優先度のレベルを示し得るものであり、一部の実施形態では、例えばＱＣＩ１は最も高い優先度であり得るものであり、ＱＣＩ９は最も低い優先度であり得る。
【００８２】
ＷＴＲＵは、ポリシーに基づくアクセス制御ビットマップ、優先度因子、規制因子、および／または規制時間を使用して、アクセス制御を実行し得る。例えばＷＴＲＵは、ビットマップ［ビット（Ｐ１）＝１、ビット（Ｐ２）＝０、ビット（Ｐ３）＝０］を受信し得る。ＷＴＲＵは、アクセス制御アクティブ化フラグを受信し得る。ＷＴＲＵは、ことによると例えば、アクセス制御アクティブ化フラグおよび／またはポリシービットマップを受信すると、アクセス制御をアクティブ化し得る。１にセットされるビット（Ｐ１）によって、ＷＴＲＵは、ポリシーＰ１により定義される判定基準とマッチするトラフィックデータパケットを上方に優先度設定し得る。ＷＴＲＵは、ことによると例えば、アクセス制御がアクティブであり得る間、Ｐ１に対応するもの以外のトラフィックを規制し得る（または、より低い相対的な優先度にセットし得る）。
【００８３】
ＷＴＲＵは、ネットワークから、アクセスに対して上方に優先度設定されているポリシーに対応するビットを受信し得る。ＷＴＲＵは、ネットワークから、アクセスに対してＷＴＲＵに使用されることになるポリシーに対応し得るビットを受信し得る。ＷＴＲＵは、アクセス優先度因子をネットワークから、１もしくは複数の、または各々の、ポリシーＰ１、Ｐ２および／またはＰ３に対して受信し得る。ＷＴＲＵは、ランダム数「ｒａｎｄ」を取り出し得るものであり、そのｒａｎｄは、値域０≦ｒａｎｄ＜１内に均一に分散され得る。ＷＴＲＵは、ことによると例えば、ランダム数が、ＷＴＲＵにより受信されるアクセス優先度因子より低いならば、アクセスに対して、対応するポリシーとマッチするトラフィックを上方に優先度設定し得ない。ＷＴＲＵは、ことによると例えば、ランダム数が、アクセス優先度因子より高い、またはその因子と等しいならば、対応するポリシーとマッチするトラフィックをアクセスに対して上方に優先度設定し得る。トラフィックが上方に優先度設定され得ないシナリオでは、ＷＴＲＵは、アクセスに対して時間の量の間、トラフィックを規制し（または、より低い優先度にセットし）得るものであり、その時間の量は例えば、例えば評価されているポリシーに対応し得る、受信される規制時間に基づいて決定され得る。
【００８４】
ＷＴＲＵは、ネットワークへのアクセスに対するアクセス規制因子を、１もしくは複数の、または各々の、ポリシーＰ１、Ｐ２および／またはＰ３に対して受信し得る。ＷＴＲＵは、ことによると例えば、ランダム数が、ＷＴＲＵにより受信されるアクセス規制因子より低いならば、対応するポリシーとマッチするトラフィックを規制し得ない（または、そのトラフィックの優先度を低下させ得ない）。ＷＴＲＵは、ことによると例えば、ランダム数が、アクセス規制因子より高い、またはその因子と等しいならば、対応するポリシーとマッチするトラフィックを規制し得る（または、そのトラフィックの優先度を低下させ得る）。例えばＷＴＲＵは、時間の量の間、トラフィックを規制し得る（または、そのトラフィックの優先度を低下させ得る）ものであり、その時間の量は例えば、評価されているポリシーに対応する、受信される規制時間に基づいて算出され得る。ＷＴＲＵは、ことによると例えば、ランダム数が、ＷＴＲＵにより受信されるアクセス優先度因子より低いならば、対応するポリシーとマッチするトラフィックをアクセスに対して上方に優先度設定し得る。ＷＴＲＵは、ことによると例えば、ランダム数が、アクセス優先度因子より高い、またはその因子と等しいならば、対応するポリシーとマッチするトラフィックをアクセスに対して上方に優先度設定し得ない。トラフィックが上方に優先度設定され得ないシナリオでは、ＷＴＲＵは、ことによると例えば、時間の量の間、トラフィックをアクセスに対して規制し（または、優先度を低下させ）得るものであり、その時間の量は、評価されているポリシーに対応し得る、受信される規制時間に基づいて決定され得る。
【００８５】
ＷＴＲＵは、アクセス規制因子を、１もしくは複数の、または各々の、ポリシーＰ１、Ｐ２および／またはＰ３に対して受信し得る。ＷＴＲＵは、ことによると例えば、ランダム数が、ＷＴＲＵにより受信されるアクセス規制因子より低いならば、対応するポリシーとマッチするトラフィックを規制し得る。ＷＴＲＵは、時間の量の間、トラフィックを規制し得るものであり、その時間の量は例えば、評価されているポリシーに対応し得る、受信される規制時間に基づいて算出され得る。ＷＴＲＵは、ことによると例えば、ランダム数が、アクセス規制因子より高い、またはその因子と等しいならば、対応するポリシーとマッチするトラフィックを規制し得ない。
【００８６】
本明細書で説明されるポリシーのＷＴＲＵ内部での実行は、ＷＴＲＵアクセス層で、および／または、ＷＴＲＵのより高い層の１もしくは複数で、例えば、ＮＡＳで、および／または、ＩＭＳレイヤで現実化され得る。
【００８７】
エンハンスされるＱＣＩに基づくアクセス規制が提供され得る。ＷＴＲＵは、ことによると例えば、ネットワークが、ネットワーク輻輳が存在するということを示し得るとき、ＱＣＩに基づくアクセス制御機構を可能にし（例えば、暗黙に可能にし）得る。一部の実施形態では、１または複数のＱＣＩベアラの優先度設定を可能にするための、ｅＮＢおよび／またはネットワークからの明示的な表示が存在し得る。
【００８８】
数あるシナリオの中でも、例えば、ネットワークおよび／またはｅＮＢがボイスサービスを明示的に上方に優先度設定し得るシナリオでは、ネットワークは、ボイスに対するあるＱＣＩ（例えば、ＱＣＩ１）を伴うベアラはバックオフされ得ないものであり、ことによると、他のＱＣＩ値を伴う他のベアラは、バックオフされ得るものであり、および／または、（例えば、時間のある期間の間）システムアクセスをなすことを可能とされ得ないということを示し得る。そのような実施形態は、ボイスベアラを、他のタイプのトラフィックを含むベアラより高位で、上方に優先度設定し得る。
【００８９】
ｅＮＢ／ネットワークにより送信および／またはブロードキャストされる、１または複数のタイプの輻輳表示が提供され得る。輻輳表示は、ＷＴＲＵが、あるＱＣＩベアラを上方に優先度設定することを可能にし（例えば、暗黙に可能にし）得る。ネットワークは、輻輳のレベルを、ＳＩＢブロードキャストメッセージでブロードキャストし得る。例えばネットワークは、（例えば、１、２または３にセットされ得る）ＲＲＣ情報要素（ＩＥ）またはＳＩＢ  ＩＥ内の輻輳のレベルを記述し得る。レベル１は、ネットワークが輻輳していないことを示し得る。レベル２は、ネットワークが（例えば、相対的に）中程度に輻輳していることを示し得る。レベル３は、ネットワークが（例えば、相対的に）重度に輻輳していることを示し得る。ＷＴＲＵは、ことによると例えば、ＷＴＲＵがレベル３輻輳を読み出し得るときに、非ボイスベアラに対して、バックオフし（例えば、暗黙にバックオフし）得るものであり、および／または、アクセスを規制し得るものであり（例えばそのことは、ＡＣＢを実現することを含み得る）、および／または、ボイスコールに対するネットワークへのアクセスを要求し得る。ＷＴＲＵは、ことによると例えば、ＷＴＲＵがＭＯデータに対するＲＲＣ要求を送信し得るものであり、それがｅＮＢにより拒絶されるときに、ネットワークが輻輳しているおそれがあるということを（例えば、暗黙に）想定し得る。ＷＴＲＵは、ネットワークにより承諾され得るボイスコールに対するアクセスを要求し得る。
【００９０】
ネットワークは、１または複数のＱＣＩベアラを上方に優先度設定するように、ＷＴＲＵを（例えば、明示的に）示し得る。この通知は、後に続く方途：優先度を有する１または複数のＱＣＩ値を伴う、ＲＲＣおよび／またはＳＩＢメッセージで表示を送信すること、ボイスおよび／もしくは何らかの他の特定のサービスが上方に優先度設定され得るという表示を送信すること、並びに／または、ｅＮＢが、ボイスパケットを含むデータ無線ベアラ（ＤＲＢ）に対するスケジューリング要求を承諾し得ることの、１または複数で、ＷＴＲＵに送信され得る。
【００９１】
ＷＴＲＵは、１または複数のアクセス規制機構を実装し得る。アクセス規制機構は、輻輳しているネットワークシナリオ内にあり得るＷＴＲＵが、例えばネットワーク内の輻輳状況を一層悪くし得る、ネットワークへの不必要な接続要求を送信しないことを可能にし得る。一部の実施形態ではネットワークは、ＷＴＲＵに、ある機構を時間上の与えられる点で使用することを示すことを、例えばことによると、他の機構が、ＱＣＩに基づくアクセス規制がアクティブ化されるときに利用可能であり得るならば行い得る。ＷＴＲＵは、アクセス規制機構の１または複数を非アクティブ化し得る。ＷＴＲＵは、ことによると例えば、輻輳のレベルに依存して、アクセス規制機構の１もしくは複数、または各々を維持し得る。
【００９２】
例えばＷＴＲＵは、ことによると例えば、ネットワークが、ネットワーク内にレベル３輻輳が存在することを示し得るならば、アクティブ化されるアクセス規制機構の、各々、または、相対的に大きなサブセットを維持し得る。ＷＴＲＵは、ことによると例えば、レベル２輻輳が示されるとき、１もしくは複数の、または、より小さなサブセットを適用することを維持し得る。ネットワークは、ＷＴＲＵに、時間上の点で適用され得る機構を示すことが可能であり得る。
【００９３】
ＷＴＲＵは、ことによると例えば、ネットワーク内に輻輳が存在しないとき、ボイスサービス、または何らかの他のサービスに対するそのアクセスを上方に優先度設定するように、ネットワークに依頼し得る。これは、例えば、ＷＴＲＵが、ネットワークに示され得る緊急時状況であるときに起こり得る。ネットワークは、ＱＣＩに基づくアクセスクラス規制機構、および／または、何らかの他のアクセス規制機構をアクティブ化して、ことによると例えば、要求されるサービス、例えばボイスコールを上方に優先度設定し得る。ＷＴＲＵの１つにより要求され得る、ＱＣＩに基づくアクセス規制は、そのｅＮＢのカバレッジのもとにある他のＷＴＲＵの、１もしくは複数、または各々に適用し得る。ボイスコールは、ことによると例えば、緊急時ＷＴＲＵが、ボイスコールをなしている、および／または、その緊急時状況に関する情報を提供している場合がある間、そのセル内で、時間のある期間の間、上方に優先度設定され得る。ｅＮＢは、ことによると例えば、アクセスクラス規制を要求し得たＷＴＲＵが、その緊急時ボイスコールを終了するときに、その通常の動作に戻るように復帰し得る。
【００９４】
特徴および要素が上記で、個別の組み合わせで説明されているが、当業者は、各々の特徴または要素が、単独で、または、他の特徴および要素との任意の組み合わせで使用され得るということを十分認識するであろう。追加で、本明細書で説明される方法は、コンピュータまたはプロセッサによる実行のためにコンピュータ可読メディアに組み込まれる、コンピュータプログラム、ソフトウェア、またはファームウェアで実現され得る。コンピュータ可読メディアの例は、電子信号（有線または無線接続によって送信される）、およびコンピュータ可読記憶メディアを含む。コンピュータ可読記憶メディアの例は、ＲＯＭ、ＲＡＭ、レジスタ、キャッシュメモリ、半導体メモリデバイス、内部的なハードディスクおよびリムーバブルディスクなどの磁気メディア、磁気光学メディア、並びに、ＣＤ−ＲＯＭディスクおよびデジタルバーサタイルディスク（ＤＶＤ）などの光学メディアを含むが、それらに制限されない。ソフトウェアとの関連の状態にあるプロセッサは、ＷＴＲＵ、ＵＥ、端末、基地局、ＲＮＣ、または、任意のホストコンピュータでの使用のための無線周波数トランシーバを実現するために使用され得る。
【図１Ａ】
2019024237.tif 000004
【図１Ｂ】
2019024237.tif 000005
【図１Ｃ】
2019024237.tif 000006
【図１Ｄ】
2019024237.tif 000007
【図１Ｅ】
2019024237.tif 000008
【図２】
2019024237.tif 000009
【図３】
2019024237.tif 000010